(57)【要約】【課題】  ドラムに電気コードが巻き取られた際、電気コードのプラグ側の端部を付属部品を要することなく確実にドラムに留めることができる電工ドラムの提供。【解決手段】  フランジ３，３を有するドラム４は、支持体５に回転可能に保持される。ドラム４の前板８には、コンセント６が設けられる。ドラム４に巻取り可能な電気コード７は、基端部がコンセント６に電気的に接続され、先端部７ａにプラグ１６が設けられる。ドラム４のフランジ３の外周端部には、円形状のコード挿通部１７が、前後方向に貫通して形成されていると共に、周方向八箇所に等間隔に形成されている。そして、前方のフランジ３において、一のコード挿通部１７ａにフランジ３の裏側からプラグ１６が通された後、一のコード挿通部１７ａと隣接するコード挿通部１７ｂにフランジ３の表側からプラグ１６が通されて、前方のフランジ３に電気コード７の先端部７ａが留められる。【選択図】      図１
0003150015.tif 000002
【実用新案登録請求の範囲】
【請求項１】
胴の軸方向両端部にフランジを有するドラムと、
このドラムを前記胴の軸線周りに回転可能に保持する支持体と、
前記ドラムの端面に設けられるコンセントと、
このコンセントに一端部が電気的に接続され、他端部にプラグが設けられ、前記胴に巻取り可能な電気コードとを備え、
前記フランジの外周端部に、円周上に離隔して一対をなす二つのコード挿通部が貫通形成され、この二つのコード挿通部は、前記胴に前記電気コードを巻いた状態において、巻き取られた前記電気コードより外周に隣接して配置されており、
前記一対をなすコード挿通部は、前記プラグの外形よりやや大きく形成されていて、前記胴に前記電気コードが巻き取られた状態で、一方の前記コード挿通部に前記フランジの裏側から前記プラグが通された後、他方の前記コード挿通部に前記フランジの表側から前記プラグが通されて、前記フランジに前記電気コードの他端部が留められる
ことを特徴とする電工ドラム。
【請求項２】
胴の軸方向両端部にフランジを有するドラムと、
このドラムを前記胴の軸線周りに回転可能に保持する支持体と、
前記ドラムの端面に設けられるコンセントと、
このコンセントに一端部が電気的に接続され、他端部にプラグが設けられ、前記胴に巻取り可能な電気コードとを備え、
前記フランジの外周端部に、円周上に離隔して一対をなす二つのコード挿通部が形成され、
前記コード挿通部は、前記フランジの径方向外側への開口部が形成され、この開口部の開口幅が前記電気コードの外径よりやや大きい寸法に形成されていて、
前記胴に前記電気コードが巻き取られた状態で、前記電気コードの他端部は、一方の前記コード挿通部から前記フランジの表側へ延出した後、他方の前記コード挿通部から前記フランジの裏側へ延出するように、前記コード挿通部に前記開口部から入れられて留められる
ことを特徴とする電工ドラム。
【考案の詳細な説明】
【技術分野】
【０００１】
本考案は、電工ドラムに関するものである。
【背景技術】
【０００２】
従来の電工ドラムでは、ドラムに電気コードが巻き取られた状態で、ドラムのフランジに、電気コードのプラグ側の端部がクリップなどで留められる。
【考案の概要】
【考案が解決しようとする課題】
【０００３】
しかしながら、クリップは、ちょっとした衝撃で外れるおそれがあるため、電気コードを確実にドラムに留めることができない。また、従来の電工ドラムでは、クリップを破損・紛失した場合、電気コードをドラムに留めることができないという不都合が生じるおそれがある。
【０００４】
本考案が解決しようとする課題は、ドラムに電気コードが巻き取られた際、電気コードのプラグ側の端部を確実にドラムに留めることができる電工ドラムを提供することにある。
【課題を解決するための手段】
【０００５】
本考案は、前記課題を解決するためになされたもので、胴の軸方向両端部にフランジを有するドラムと、このドラムを前記胴の軸線周りに回転可能に保持する支持体と、前記ドラムの端面に設けられるコンセントと、このコンセントに一端部が電気的に接続され、他端部にプラグが設けられ、前記胴に巻取り可能な電気コードとを備え、前記フランジの外周端部に、円周上に離隔して一対をなす二つのコード挿通部が貫通形成され、この二つのコード挿通部は、前記胴に前記電気コードを巻いた状態において、巻き取られた前記電気コードより外周に隣接して配置されており、前記一対をなすコード挿通部は、前記プラグの外形よりやや大きく形成されていて、前記胴に前記電気コードが巻き取られた状態で、一方の前記コード挿通部に前記フランジの裏側から前記プラグが通された後、他方の前記コード挿通部に前記フランジの表側から前記プラグが通されて、前記フランジに前記電気コードの他端部が留められることを特徴とする電工ドラムである。
【０００６】
或いは、胴の軸方向両端部にフランジを有するドラムと、このドラムを前記胴の軸線周りに回転可能に保持する支持体と、前記ドラムの端面に設けられるコンセントと、このコンセントに一端部が電気的に接続され、他端部にプラグが設けられ、前記胴に巻取り可能な電気コードとを備え、前記フランジの外周端部に、円周上に離隔して一対をなす二つのコード挿通部が形成され、前記コード挿通部は、前記フランジの径方向外側への開口部が形成され、この開口部の開口幅が前記電気コードの外径よりやや大きい寸法に形成されていて、前記胴に前記電気コードが巻き取られた状態で、前記電気コードの他端部は、一方の前記コード挿通部から前記フランジの表側へ延出した後、他方の前記コード挿通部から前記フランジの裏側へ延出するように、前記コード挿通部に前記開口部から入れられて留められることを特徴とする電工ドラムである。
【考案の効果】
【０００７】
本考案によれば、ドラムに電気コードが巻き取られた際、電気コードのプラグ側の端部を付属部品を要することなく確実にドラムに留めることができる電工ドラムを提供することができる。
【図面の簡単な説明】
【０００８】
【図１】本考案の電工ドラムの実施例１を示す斜視図である。
【図２】図１の電工ドラムの平面図である。
【図３】電工ドラムの部分正面図であり、前板の一部を示している。
【図４】本考案の電工ドラムの実施例２の部分正面図である。
【図５】本考案の電工ドラムの実施例３の部分正面図である。
【図６】図５の前板に電気コードを留めた状態を示す概略図であり、一部を断面にして示している。
【図７】本考案の電工ドラムの実施例４において、前板に電気コードを留めた状態を示す概略図であり、一部を断面にして示している。
【考案を実施するための形態】
【０００９】
以下、本考案の電工ドラムについて、実施例に基づき詳細に説明する。
【実施例１】
【００１０】
図１乃至図３は、本考案の電工ドラムの実施例１を示す図であり、図１は斜視図、図２は図１の電工ドラムの平面図、図３は部分正面図である。本実施例の電工ドラム１は、胴２の軸方向両端部にフランジ３を有するドラム４と、ドラム４を回転可能に保持する支持体５と、ドラム４の端面に設けられるコンセント６と、ドラム４に巻取り可能な電気コード７とを備える。
【００１１】
ドラム４は、円筒状の胴２と、胴２の軸方向前端部に設けられる前板８と、胴２の軸方向後端部に設けられる後板９とを備える。前板８および後板９は、胴２の外径よりも直径が大きい略円板状である。前板８は、胴２の前面に前板８を重ね合わせた状態で、前板８を介して胴２の前面に止めネジ２７をねじ込むことで取り付けられる。後板９は、胴２の後面に後板９を重ね合わせた状態で、後板９を介して胴２の後面に止めネジをねじ込むことで取り付けられる。取付状態では、前板８、後板９および胴２は、同一軸線上に配置される。本実施例では、このようにして、胴２の軸方向両端部に円板状のフランジ３が形成される。
【００１２】
ドラム４は、支持体５に回転可能に保持される。具体的には、支持体５は、金属製のフレーム１０から前方へ延出する軸１１を備え、この軸１１に、ドラム４がその胴２の軸線周りに回転可能に保持される。本実施例のフレーム１０は、上部に合成樹脂製の取っ手１２が設けられ、下部に形成される脚部１３の先端部に、合成樹脂製のカバー１４が設けられる。
【００１３】
ドラム４の前板８および後板９の一方または双方には、コンセント６が設けられる。本実施例では、コンセント６は、ドラム４の前板８にのみ設けられている。コンセント６は、胴２の中空穴と対応して、前板８に配置される。本実施例のコンセント６は、二組の差込み口が形成されており、前板８の軸１１を挟んで二箇所に設けられる。
【００１４】
ドラム４には、前板８に設けられるツマミ１５を用いてドラム４を回転させることで、電気コード７を巻き取ることができる。電気コード７は、基端部がコンセント６に電気的に接続され、先端部７ａにプラグ１６が設けられる。
【００１５】
ドラム４のフランジ３の外周端部には、周方向に離隔する円周上の複数箇所に、電気コード７のプラグ１６が通過できる程度の大きさのコード挿通部１７が貫通形成されている。この複数箇所のコード挿通部１７の内、互いに隣接する二つのコード挿通部１７ａ，１７ｂは、前記フランジ３の円周上の約四分の一円周上に配置されている。フランジ３の一方のコード挿通部１７ａにフランジ３の裏側からプラグ１６が通された後、他方のコード挿通部１７ｂにフランジ３の表側からプラグ１６が通される。二つのコード挿通部１７ａ，１７ｂに順次プラグ１６が通されることにより、電気コード７の先端部７ａも通される。これにより、ドラム４に電気コード７が巻き取られた際に、電気コード７の先端部７ａをドラム４に留めることができる。
【００１６】
図３は、電工ドラムの部分正面図であり、前板の一部を示している。複数のコード挿通部１７は、円形状とされ、ドラム４のフランジ３の外周端部の周方向八箇所に等間隔に形成され、周方向に隣接するいずれの二つのコード挿通部の組み合わせであっても本発明の二つのコード挿通部１７ａ，１７ｂを構成する。周方向八箇所に等間隔に形成されているため、前板８の中心と一のコード挿通部１７ａの中心とを通る直線Ｌと、前板８の中心と一のコード挿通部１７ａに隣接するコード挿通部１７ｂの中心とを通る直線Ｍとの間の角Ａは、４５°とされる。そして、前方のフランジ３において、一のコード挿通部１７ａにフランジ３の内側からプラグ１６が通された後、一のコード挿通部１７ａと隣接するコード挿通部１７ｂにフランジ３の外側からプラグ１６が通されて、前板８のフランジ３に電気コード７の先端部７ａが留められる。
【００１７】
以上のように、フランジ３の外周端部にコード挿通部１７ａ，１７ｂが形成されているので、胴２の外周面とコード挿通部１７との間の距離ａを十分に確保することができ、電気コード７が巻き取られた際に、電気コード７でコード挿通部１７が塞がれてしまうのを防止できる。また、同一円周上でかつ前記円周上の約四分の一円周上に形成されている二つのコード挿通部１７ａ，１７ｂに、一方のコード挿通部１７ａにフランジ３の裏側からプラグ１６が通された後、他方のコード挿通部１７ｂにフランジ３の表側からプラグ１６が通されて、フランジ３に電気コード７の先端部７ａを留めることで、フランジ３の表側への電気コード７の露出を抑えることができると共に、プラグ１６がフランジ３の表側に出張らないため、見た目良くコンパクトにまとめることができ、しかも、コード挿通部１７が均等に配置されることとなるので製作が容易となる。
【００１８】
図示例では、フランジ３の周方向八箇所に等間隔にコード挿通部１７が形成されているので、電気コード７が巻き取られた際に、任意の隣接する二つのコード挿通部を用いて、電気コード７の先端部７ａをフランジ３に留める一のコード挿通部１７ａと隣接するコード挿通部１７ｂとして使用することができる。また、前板８と後板９との双方に、同様の構成のコード挿通部１７を形成した場合には、前板８と後板９を共通化できると共に、電工ドラム１の軽量化を図ることができる。
【実施例２】
【００１９】
図４は、本考案の電工ドラムの実施例２の部分正面図である。本実施例２の電工ドラム１も、胴２の軸方向前後端に前板８と後板９を有し、フランジ３が形成されている点においては前記実施例１と同様の構成である。そこで、以下においては、両者の異なる点を中心に説明し、対応する箇所には同一の符号を付して説明する。
【００２０】
前記実施例１では、フランジ３に貫通穴であるコード挿通部１７が形成されたが、本実施例２のコード挿通部１８は、径方向外側への開口部１９が形成されている。コード挿通部１８は、フランジ３の外周端部において、円周上の複数箇所に形成されている。この複数箇所のコード挿通部１８の内、互いに隣接する二つのコード挿通部１８ａ,１８ｂは、フランジ３の約四分の一円周上に配置されている。
【００２１】
コード挿通部１８の開口部１９の幅ｂは、電気コード７の外径よりやや大きい寸法に形成されている。コード挿通部１８は、開口部１９の幅ｂよりやや大きい直径を有する略円形状に形成されている。なお、コード挿通部１８は、前方のフランジ３の外周端部において、周方向八箇所に等間隔に形成されてもよい。
【００２２】
このようなコード挿通部１８に、ドラム４に電気コード７が巻き取られた状態で、電気コード７の先端部７ａが留められる。具体的には、電気コード７の先端部７ａは、一方のコード挿通部１８ａからフランジ３の表側へ延出した後、他方のコード挿通部１８ｂからフランジ３の裏側へ延出するように、円周上に離隔して一対をなす二つのコード挿通部１８ａ，１８ｂに開口部１９から入れられて留められる。
【００２３】
本実施例では、前述したコード挿通部１８により、胴２の外周面とコード挿通部１８との間の距離ｃをより十分に確保できるため、電気コード７が巻き取られた際に、電気コード７でコード挿通部１８が塞がれてしまうのを確実に防止できる。
【００２４】
前記各実施例の電工ドラム１によれば、電気コード７の先端部７ａを付属部品を使用することなく確実にドラム４に留めることができる。また、クリップを破損・紛失した場合に、電気コード７の先端部７ａを留めることができなくなるという不都合が生じるおそれがない。
【実施例３】
【００２５】
図５および図６は、実施例３を示しており、この実施例３では、ドラム４のフランジ３に形成されるコード挿通部を四角形としている。
【００２６】
そして、図５および図６に示すように、コード挿通部３７ａ，３７ｂの四辺の内、コード挿通部３７ａとコード挿通部３７ｂの間の板状部３８の両端部に対応する辺を前方に丸く折り返して折り返し部２０，２１を形成すると共に、その辺とそれぞれ向かい合う辺を前方に丸く折り返して折り返し部２２，２３を形成している。これにより、四角形の穴が形成されるので、四角形のプラグ１６がそれぞれのコード挿通部３７ａ，３７ｂに通しやすくなると共に、電気コード７が折り返し部２０，２１，２２，２３に接触して引き込まれても傷付くおそれがない。
【実施例４】
【００２７】
図７は実施例４を示しており、この実施例４では、図７に示すように、フランジ３の外周端部を前後方向に交互に膨出するように形成している。具体的には、前方へ膨出した前片部２４と、後方へ膨出した後片部２５と、前片部２４と後片部２５との間の接続片部２６ａ，２６ｂとから構成される。接続片部２６ａ，２６ｂには、コード挿通部４７ａ，４７ｂが貫通形成される。これにより、フランジ３の外周端部が面一の場合と比較して、コード挿通部への電気コード７の先端部７ａの挿通を容易化することができる。
【００２８】
本考案の電工ドラムは、前記各実施例の構成に限らず、適宜変更可能である。たとえば、前記実施例１において、ドラム４のフランジ３に形成されるコード挿通部１７の縁を覆うように、カバーを設けてもよい。たとえば、カバーは、合成樹脂製とされる。カバーを設けることで、電気コード７がコード挿通部１７の縁に接触して引き込まれても傷付くおそれがない。
【００２９】
また、実施例２において、コード挿通部１８を含むフランジ３の外周縁に丸みを持たせることで、電気コード７がコード挿通部１８の縁に接触して引き込まれても傷付くおそれがない。
【符号の説明】
【００３０】
１  電工ドラム
２  胴
３  フランジ
４  ドラム
５  支持体
６  コンセント
７  電気コード
１６  プラグ
１７ａ，１７ｂ  コード挿通部
１８ａ，１８ｂ  コード挿通部
３７ａ，３７ｂ  コード挿通部
４７ａ，４７ｂ  コード挿通部
１９  開口部
【図１】
0003150015.tif 000003
【図２】
0003150015.tif 000004
【図３】
0003150015.tif 000005
【図４】
0003150015.tif 000006
【図５】
0003150015.tif 000007
【図６】
0003150015.tif 000008
【図７】
0003150015.tif 000009